(57)【要約】【課題】従来技術では、「やりこし」について考慮されたものではないため、ハンドルを取り外してもなおも存在する突起部分に対して戸袋パネルの縦框が干渉してしまい、やりこしができないものであった。【解決手段】戸先側にハンドル６０を備え、見付方向Ｍに移動可能な開閉ドア２と、開閉ドア２との相対位置が変更された際に、開閉２ドアと対向する少なくとも一つの対向体（フィックス部５又はガードスクリーン６）と、を備える引戸装置であって、ハンドル６０は、見付方向Ｎにおいて対向体に重なる位置に、開閉ドア２に着脱可能に設けられるものである、構成とする。【選択図】図１
2014029071.tif 000002
【特許請求の範囲】
【請求項１】
戸先側にハンドルを備え、見付方向に移動可能な開閉ドアと、
前記開閉ドアとの相対位置が変更された際に、前記開閉ドアと対向する少なくとも一つの対向体と、
を備える引戸装置であって、
前記ハンドルは、見付方向において前記対向体に重なる位置に、前記開閉ドアに着脱可能に設けられるものである、
引戸装置。
【請求項２】
前記対向体が見付方向に移動可能とされるものであって、前記ハンドルが前記対向体側に設けられるものである、
ことを特徴とする請求項１の引戸装置。
【請求項３】
前記開閉ドアの戸先側に台座部が設けられ、
少なくとも前記ハンドルの一端部には前記台座部に対して着脱可能な連結部を有する、
ことを特徴とする請求項１又は請求項２に記載の引戸装置。
【請求項４】
前記台座部が、前記開閉ドアの戸先側の縦框に設けられるものである、
ことを特徴とする請求項３に記載の引戸装置。
【請求項５】
前記対向体がその上部が吊られた上吊り引戸、又は、前記対向体がその下部に戸車を有する戸車付き引戸であって、
前記開閉ドアと前記対向体とが相対移動できるように、前記台座部が前記対向体に干渉しないように構成される、
ことを特徴とする請求項１乃至請求項４のいずれか一項に記載の引戸装置。
【請求項６】
前記対向体がその下部に戸車を有する戸車付き引戸であって、
前記開閉ドアの縦框に前記台座部が配置されるものであり、
前記開閉ドアと前記対向体とが相対移動した際に、
該台座部と前記対向体の縦框とは見付方向において重ならない位置に配置される、
ことを特徴とする請求項１乃至請求項５のいずれか一項に記載の引戸装置。
【請求項７】
前記連結部は、前記台座部の見付方向に沿って設けられる案内部にスライドさせる被案内部を有する、
ことを特徴とする請求項３乃至６のいずれか一項に記載の引戸装置。
【請求項８】
前記連結部は、前記台座部に設けた係合部に係合される被係合部を有する、
ことを特徴とする請求項３乃至６のいずれか一項に記載の引戸装置。
【請求項９】
前記連結部が前記台座部に係合された状態で、前記連結部と前記台座部とを固定する固定部を備える、
ことを特徴とする請求項３乃至８のいずれか１項に記載の引戸装置。
【請求項１０】
請求項１乃至請求項９のいずれか一項に記載の引戸装置であって、
前記対向体として、
前記開閉ドアを開いたときに、前記開閉ドアと対向する位置に見付方向に移動不能なフィックス部を備える、
ことを特徴とする引戸装置。
【請求項１１】
前記対向体として、
前記フィックス部と対向し、見付方向に移動可能な防護体をさらに備え、
前記ハンドルのうち、前記防護体が配置される側が着脱可能とされる、
ことを特徴とする請求項１０に記載の引戸装置。
【発明の詳細な説明】
【技術分野】
【０００１】
本発明は、例えば、喫煙室などの区画された領域の出入口や、店舗などの建物出入口などの開口部に設置される引戸装置に関する。
【背景技術】
【０００２】
近年、省エネなどを背景とし、例えば、喫煙室などの区画された領域の出入口や、店舗などの建物出入口などに設けられる引戸タイプの開閉ドア（引戸装置）の分野では、電力を必要とする自動ドアの代わりに、手動で開けて自動で閉じるセミオートドアや、手動で開けて手動で閉じる手動ドアが求められている。
【０００３】
このような引戸装置の場合、スライドする開閉ドアの戸先側に、しっかりと手で掴むことができるように、比較的大きな棒状やパイプ状のハンドルが設けられることが多い（例えば、特許文献１参照。）。
【０００４】
また、開閉ドアが開いて移動した際に開閉ドアと対面するフィックス部（フィックス板）を備えた引戸装置において、このフィックス部に対向して開閉ドアと同じ方向に移動可能な防護体が配置されるものも知られている（例えば、特許文献２参照。）。防護体はメンテナンス時において移動することによって、防護体とフィックス部の間の領域を清掃することが可能となっている。
【先行技術文献】
【特許文献】
【０００５】
【特許文献１】実公平５−４５４７号公報
【特許文献２】特開２００９−２２２９８９号公報
【発明の概要】
【発明が解決しようとする課題】
【０００６】
ハンドルが特許文献１に開示されるような比較的大きなハンドルを設置する場合には、例えば、図１０に示すように、メンテナンス時においてフィックス部９２と戸袋パネル９４の間の引き込み部９５の清掃を目的として戸袋パネル９４を移動させようとすると、戸袋パネル９４が引戸９０のハンドル９１に当たり、戸袋パネル９４と引戸９０とをやりこしすることができなかった（引き違いができなかった）。
【０００７】
このため、戸袋パネル９４を出入口側に移動させた際に、引戸９０と対向してしまい、戸袋パネル９４の内表面９４ｎが開放されず、内表面９４ｎの掃除などのメンテナンスが行えないことになる。
【０００８】
そして、仮に、ハンドル９１が取り外せたとしても、戸袋パネル９４と引戸９０とをやりこすためには、ハンドル９１を固定する部位が戸袋パネルに干渉しないようにする必要がさらに生じるものとなる。
【０００９】
この点について、従来技術では、この「やりこし」について考慮されたものではないため、例えば、図１０の構成であれば、ハンドル９１を取り外してもなおも存在する突起部分９８に対して戸袋パネル９４の縦框９４ｄが干渉してしまい、やりこしができないものであった。
【００１０】
そこで、本発明は以上の課題を解決するためになされたものであり、新規な引戸装置の提供をするものである。
【課題を解決するための手段】
【００１１】
本発明の解決しようとする課題は以上の如くであり、次にこの課題を解決するための手段を説明する。
【００１２】
即ち、請求項１に記載のごとく、
戸先側にハンドルを備え、見付方向に移動可能な開閉ドアと、
前記開閉ドアとの相対位置が変更された際に、前記開閉ドアと対向する少なくとも一つの対向体と、
を備える引戸装置であって、
前記ハンドルは、見付方向において前記対向体に重なる位置に、前記開閉ドアに着脱可能に設けられるものである、
引戸装置とする。
【００１３】
また、請求項２に記載のごとく、
前記対向体が見付方向に移動可能とされるものであって、前記ハンドルが前記対向体側に設けられるものである、こととする。
【００１４】
また、請求項３に記載のごとく、
前記開閉ドアの戸先側に台座部が設けられ、
少なくとも前記ハンドルの一端部には前記台座部に対して着脱可能な連結部を有する、こととする。
【００１５】
また、請求項４に記載のごとく、
前記台座部が、前記開閉ドアの戸先側の縦框に設けられるものである、こととする。
【００１６】
また、請求項５に記載のごとく、
前記対向体がその上部が吊られた上吊り引戸、又は、前記対向体がその下部に戸車を有する戸車付き引戸であって、
前記開閉ドアと前記対向体とが相対移動できるように、前記台座部が前記対向体に干渉しないように構成される、こととする。
【００１７】
また、請求項６に記載のごとく、
前記対向体がその下部に戸車を有する戸車付き引戸であって、
前記開閉ドアの縦框に前記台座部が配置されるものであり、
前記開閉ドアと前記対向体とが相対移動した際に、
該台座部と前記対向体の縦框とは見付方向において重ならない位置に配置される、こととする。
【００１８】
また、請求項７に記載のごとく、
前記連結部は、前記台座部の見付方向に沿って設けられる案内部にスライドさせる被案内部を有する、こととする。
【００１９】
また、請求項８に記載のごとく、
前記連結部は、前記台座部に設けた係合部に係合される被係合部を有する、こととする。
【００２０】
また、請求項９に記載のごとく、
前記連結部が前記台座部に係合された状態で、前記連結部と前記台座部とを固定する固定部を備える、こととする。
【００２１】
また、請求項１０に記載のごとく、
請求項１乃至請求項９のいずれか一項に記載の引戸装置であって、
前記対向体として、
前記開閉ドアを開いたときに、前記開閉ドアと対向する位置に見付方向に移動不能なフィックス部を備える、こととする。
【００２２】
また、請求項１１に記載のごとく、
前記対向体として、
前記フィックス部と対向し、見付方向に移動可能な防護体をさらに備え、
前記ハンドルのうち、前記防護体が配置される側が着脱可能とされる、こととする。
【発明の効果】
【００２３】
本発明の効果として、以下に示すような効果を奏する。
【００２４】
即ち、請求項１に記載の発明においては、メンテナンス時などでは、必要に応じてハンドルを取り外すことにより、開閉ドアと対向体をやりこすことができる（引き違いができるようになる）。
【００２５】
また、請求項２に記載の発明においては、対向体が移動可能に構成されるものについて、開閉ドアと対向体をやりこすことができる。
【００２６】
また、請求項３に記載の発明においては、開閉ドアに設けられる台座部に対してハンドルの着脱を行う構成とできる。
【００２７】
また、請求項４に記載の発明においては、開閉ドアの戸先側の縦框にハンドルを設置することができる。
【００２８】
また、請求項５に記載の発明においては、対向体が上吊り引戸、又は、戸車付き引戸のものについて実施することができる。
【００２９】
また、請求項６に記載の発明においては、戸車付き引戸のものについて本発明を実施することができる。
【００３０】
また、請求項７に記載の発明においては、連結部を台座部の見付方向において案内することができる。
【００３１】
また、請求項８に記載の発明においては、連結部と台座部を係合させることで、台座部に対するハンドルの位置決めを行うことができる。
【００３２】
また、請求項９に記載の発明においては、位置決めを行った状態でハンドルを固定することができる。
【００３３】
また、請求項１０に記載の発明においては、対向体がフィックス部のものについて本発明を実施することができる。
【００３４】
また、請求項１１に記載の発明においては、対向体が防護体のものについて本発明を実施することができる。
【図面の簡単な説明】
【００３５】
【図１】（ａ）は通常時における引戸装置の状態について説明する図。（ｂ）はメンテナンス時における引戸装置の状態について説明する図。
【図２】通常時とメンテナンス時における各戸体の状態について説明する図。
【図３】引戸装置の構成について示す縦断面図。
【図４】引戸装置の構成について示す横断面図。
【図５】（ａ）は開閉ドアの下枠をガイドするガイド溝レールを設ける構成について示す図。（ｂ）はガードスクリーンの下枠をガイドするガイド溝レールを設ける構成について示す図。（ｃ）は開閉ドア及びガードスクリーンの下框をそれぞれガイドするガイド溝レールを設ける構成について示す図。
【図６】（ａ）はメンテナンス時において駆動ユニットのケースカバーを外した状態について示す図。（ｂ）はメンテナンス時においてガードスクリーンをスライド移動させた状態について示す図。
【図７】引込み防止構造について示す図。
【図８】後付可能とする引込み防止構造を構成する部材について示す図。
【図９】（ａ）は通常時における実施例２の引戸装置の状態について説明する図。（ｂ）はメンテナンス時における実施例２の引戸装置の状態について説明する図。
【図１０】本発明の課題について説明する図。
【発明を実施するための形態】
【００３６】
次に、発明の実施の形態について、実施例を用いて説明する。
【００３７】
図１（ａ）に示すごとく、引戸装置１は、建物開口部１０に設置されている。引戸装置１は、上枠、下枠、左右の縦枠が四方枠組みされた枠体が設置されている。開閉ドア２がスライド移動することで、建物開口部１０の出入口の開放／閉鎖が行われ、人の出入りが可能になる。また、上枠は、ユニット枠３となっており、このユニット枠３の内部に設けられるガイドレールなどによって、開閉ドア２をスライド可能としている。
【００３８】
また、図１（ａ）に示すごとく、開閉ドア２の縦框２ｄには、ハンドル６０が設けられている。このハンドル６０を掴むことによって、開閉ドア２を手動で開閉操作する手動ドアが構成される。また、この手動ドアにおいて、ユニット枠３内に、手を離すと開閉ドア２を自動的に閉じるための周知のオートクローズ機構（電力を用いない自動閉鎖機構）を設けることで、手動で開けて自動で閉じるセミオートドアを構成することとしてもよい。
【００３９】
また、図１（ａ）に示すごとく、引戸装置１には、フィックス部５が設けられており、例えば、このフィックス部５によって建物開口部１０の幅方向の約半分（図において左半分）の範囲が占められている。また、このフィックス部５は、スライド移動しないように例えば、ガードスクリーン６と同じ構造のものをフランス落しやネジ止めにより固定されている。開閉ドア２は、フィックス部５と平行にスライド移動するようになっている。このような構成で、片開きの引戸装置１が構成されている。なお、フィックス部５の幅は開閉ドア２と同幅であることに限られず、建物開口部に応じて適宜設定されるものである。
【００４０】
また、図１（ａ）に示すごとく、引戸装置１には、ガードスクリーン６（本願発明の「防護体」）がフィックス部５に所定間隔を離して対向するように設けられている。このガードスクリーン６とフィックス部５との間に開閉ドア２が引込まれる空間が形成されている。本実施例のガードスクリーン６は、例えば、フィックス部５と略同一の幅、高さ寸法を有することとし、フィックス部５とガードスクリーン６の間に開閉ドア２の略全面が収容されるようになっている。これにより、フィックス部５とガードスクリーン６で囲まれる領域（戸袋）が形成されるようになっている。フィックス部５とガードスクリーン６とは同幅であるとは限られず、建物開口部の構造に応じて異なる幅となってもよい。
【００４１】
そして、このように、ガードスクリーン６を設けることで、開閉ドア２の引き込み部７をフィックス部５、ガードスクリーン６、及び枠体とで囲まれた空間（引き込み部７）とすることができる。そして、開閉ドア２が出入口を開く際に開閉ドア２がフィックス部５、ガードスクリーン６、枠体とで囲まれる空間（引き込み部７）に進入する。そして、開閉ドア２が開くタイミングで、この引き込み部７に人や物が進入して開閉ドア２にぶつかる不具合が防止され、安全性を確保できるようになっている。
【００４２】
また、図１（ａ）に示すごとく、本実施例では、開閉ドア２及びフィックス部５をガラス板の四方を框組みしたガラス戸で構成することとし、同様に、ガードスクリーン６もガラス戸で構成されることとしている。これによれば、図１（ａ）に示す通常時において、ガードスクリーン６及びフィックス部５を介して室外空間（若しくは室内空間）を視認することができ、建物開口部１０の略全範囲がガラスで仕切られることとなって、高い開放感を得られることになる。また、開閉ドア２が全開となった状態においても、ガードスクリーン６、フィックス部５、開閉ドア２を介して室外空間（若しくは室内空間）を視認することができ、高い開放感が得られることになる。
【００４３】
また、本実施例のように、フィックス部５がガラス戸で構成される場合には、このフィックス部５が開くものと勘違いして、人が引き込み部７へ進入してしまい、その際に開閉ドア２が開く可能性もあるため、特に、フィックス部５がガラス戸で構成される場合には、ガードスクリーン６の設置は有効なものとなる。
【００４４】
なお、図１（ａ）に示す引戸装置１では、ガードスクリーン６をユニット枠３から吊り下げるようにして、開閉ドア２の引き込み部７の略全域がフィックス部５とガードスクリーン６とによって囲まれるようにしているが、ガードスクリーン６の板面の高さ寸法は、例えば、フィックス部５の高さの半分として、大人が手を自然に下ろした状態で防護体の裏側に手が挿し込まれにくいほどの高さ（例えば、９０ｃｍ〜１４０ｃｍ）にして挿し込みの防止性を高めること、若しくは、ガードスクリーン６の高さ寸法を１１０ｃｍよりも高く設定し、子どもの手が届かないようにしてぶら下りにくくする、などといった設計も可能である。また、このように、ガードスクリーンによって引き込み部７の一部を覆う場合には、防護体における板面以外の部位に格子枠などを設けることとしてもよい。
【００４５】
また、図１（ａ）に示すフィックス部５とガードスクリーン６の配置関係については、本実施形態では、例えば、フィックス部５を室外側、ガードスクリーン６を室内側としているが、この逆であってもよく、特に限定されるものではない。また、開閉ドア２、フィックス部５、ガードスクリーン６を全てガラス戸で構成するほか、一部、若しくは全部を遮蔽性のある戸体で構成してもよく、各戸体の意匠については特に限定するものではない。
【００４６】
また、図１（ａ）に示す構成は、例えば、喫煙室などの区画された領域の出入口、駅ホームなどに設置される待合室、店舗などの建物出入口などの開口部、などなど、室内外問わず、あらゆる場所に設置されることが想定される。
【００４７】
また、図１（ｂ）に示すごとく、ガードスクリーン６の上框６ａは、ユニット枠３に吊下げられ、水平方向（見付方向Ｍ）にスライド移動できるようになっている。これにより、引戸装置１のメンテナンス時など、必要が生じた際に、ガードスクリーン６を出入口１５側に向かって水平方向にスライド移動でき、フィックス部５とガードスクリーン６の間に形成される開閉ドア２の引き込み部７が開放され、この引き込み部７の掃除などを容易に行うことができるようになっている。
【００４８】
以上の構成とすることで、図２に示すごとく、出入口１５の閉鎖時、及び、出入口１５の開放時においては、ガードスクリーン６がフィックス部５に対向する位置に配置されて戸袋９が形成され、この戸袋９によって開閉ドア２の引き込み部７への人や物の進入を防止することができる。
【００４９】
そして、メンテナンス時においては、ガードスクリーン６を図２中右方向（出入口１５側）へスライド移動させることによって、引き込み部７が開放されることになり、この引き込み部７の床面やフィックス部５の内表面５ｎ（開閉ドア２側の表面）の掃除などを行うことが可能となる。また、開閉ドア２を図において左方向へスライド移動させることによれば、ガードスクリーン６の内表面６ｎ（開閉ドア２側の表面）の掃除なども可能となる。
【００５０】
次に、ハンドル６０について説明する。
図３（ａ）は通常使用時におけるハンドル６０の概要について示す斜視図、図３（ｂ）はメンテナンス時おいて把手部６２が取り外されている状態にいて示す斜視図である。また、図４はハンドル６０の台座部６１と把手部６２の連結部６３の構成について示す正面図である。図５はハンドル６０の台座部６１と把手部６２の連結部６３の構成について示す側面図である。
【００５１】
これら図３乃至図５に示すように、ハンドル６０は、開閉ドアの縦框２ｄの一側の見付面２ｅにおいて上下方向に離間して二箇所に設けられる台座部６１，６１と、人が手で掴むための把手部６２とを備えて構成される。また、本実施例では、開閉ドアの縦框２ｄの他側の見付面２ｆにおいて、もう一つの把手部６４が取付けられている構成としている。
【００５２】
台座部６１は、例えば、正面視において上下方向において一対の対向面を有し、該対向面の上端を円弧面で、該対向面の下端を台形面で連結しており、縦框２ｄの見付面２ｅから突出した状態で設けられる。台座部６１は、台座部６１の厚み方向に形設された貫通穴６１ｋを通じ、固定具６１ｂによって縦框２ｄに対して固定される。なお、本実施形態では、縦框２ｄから台座部６１が突出した状態としているが、台座部６１が設けられる縦框２ｄを窪ませることにより、台座部６１が縦框２ｄから突出しないようにしてもよい。
【００５３】
台座部６１は、表面部６１ａと、表面部６１ａの両側部から縦框２ｄ側に向かう面を構成する縦面部６１ｃ，６１ｄと、縦面部６１ｃ，６１ｄの上端部を連続させる面を構成する上面部６１ｅと、縦面部６１ｃ，６１ｄの下端部を連続させる面を構成する下面部６１ｆと、を有している。
【００５４】
上側に配置される台座部６１の表面部６１ａには、把手部６２を台座部６１に着脱可能に固定するための被固定部が設けられており、本実施例では、ネジ穴６１ｇを表面部６１ａから台座部６１の厚み方向に刻設することで、被固定部が形成されている。
【００５５】
なお、本実施例では上側に配置される台座部６１にのみネジ穴６１ｇを設ける構成としたが、下側に配置される台座部６１についてもネジ穴６１ｇが設けられることとしてもよい。
【００５６】
台座部６１の上面部６１ｅには、把手部６２を台座部６１に着脱可能に係合するための被係合部が設けられる。本実施例では、位置決め穴６１ｈを上面部６１ｅから台座部６１の下方に向けて穿設することで、被係合部が形成されている。
【００５７】
台座部６１は、ステンレスなどの金属にて構成するほか、合成樹脂にて構成することとしてもよく、特に限定するものではない。
【００５８】
把手部６２は、人が手で掴むことができるような棒状部６２ａを有し、例えば、内部が中空のパイプ材にて構成することができる。把持部６２は、例えば、ステンレス等の金属、合成樹脂等、で構成されていてもよく、特に限定するものではない。
【００５９】
把手部６２の棒状部６２ａの両端部は略９０度屈曲されており、屈曲した先の端部には、台座部６１，６１にそれぞれ連結するための連結部６３，６３が設けられている。
【００６０】
連結部６３は、例えば、正面視において上下方向において一対の対向面を有し、該対向面の上下端を円弧面で連結しており、把手部６２の棒状部６２ａの端部と一体化される表面部６３ａと、表面部６３ａの両側部から縦框２ｄ側に向かう一対の面を構成する縦面部６３ｃ，６３ｄと、縦面部６３ｃ，６３ｄの上端部を連続させる円弧面を構成する上面部６３ｅと、縦面部６３ｃ，６３ｄの下端部を連続させる円弧面を構成する下面部６３ｆと、を有している。
【００６１】
連結部６３には、表面部６３ａの裏側となる位置において、縦面部６３ｃ，６３ｄ、上面部６３ｅ、下面部６３ｆによって囲まれる空間部６３ｋが形成されており、この空間部６３ｋ内に台座部６１が収められるように構成されている。空間部６３ｋ内に台座部６１が収められることで、台座部６１を外側からカバーして覆い隠すことができ、連結部６３によって外観意匠を構成して意匠性を確保することができる。
【００６２】
連結部６３にて形成される空間部６３ｋの縦幅寸法Ｈ１は、台座部６１の縦幅寸法Ｈ２よりも大きく構成されており、連結部６３が台座部６１に対して上下方向に相対移動可能に構成される。
【００６３】
連結部６３にて形成される空間部６３ｋの横幅寸法Ｗ１は、台座部６１の横幅寸法Ｗ２と略同一に構成されており、連結部６３が台座部６１に対して上下方向に相対移動する際には、連結部６３の縦面部６３ｃ，６３ｄの裏側に位置する空間部６３ｋの内周面６３ｎが、台座部６１の縦面部６１ｃ，６１ｄに接することになり、連結部６３が台座部６１によってガイドされるように移動可能に構成される。このように、本実施例では、台座部６１の縦面部６１ｃ，６１ｄが案内部として機能する。縦面部６１ｃ，６１ｄに、例えば、溝などを形成して案内部として機能させることとしてもよい。
【００６４】
連結部６３の表面部６３ａには、台座部６１の表面部６１ａのネジ穴６１ｇに対し、固定具としての固定ネジ６５を螺挿するための貫通穴６３ｇが形成されている。なお、本実施例では上側に配置される連結部６３にのみ貫通穴６３ｇを設けて固定ネジ６５を配置する構成としたが、これに代えて、下側に配置される連結部６３についても貫通穴６３ｇが設けられることとしてもよい。この場合、固定ネジ６５がハンドル６０に隠れる位置に配置してもよい。
【００６５】
連結部６３に設けられる固定ネジ６５は、大径のつまみ部６５ａが表面部６３ａの外側に配置されており、手指でつまみ部６５ａをつまんで操作することによって、固定ネジ６５のネジ部６５ｂをネジ穴６１ｇに螺結する、或いは、ネジ穴６１ｇから緩めて取り外すことが可能となっている。
【００６６】
固定ネジ６５のネジ部６５ｂをネジ穴６１ｇに螺結した際には、つまみ部６５ａは、連結部６３の表面部６３ａに当接し、これにより連結部６３が台座部６１に対して固定される。
【００６７】
固定ネジ６５は、例えば、ネジ部６５ｂに貫通穴６３ｇの穴径よりも大径の抜け止め部６５ｃを設けることによって、貫通穴６３ｇから脱落しない構成とすることが好ましい。この抜け止め部６５ｃは、例えば、スナップリングなどの環状部材をネジ部６５ｂに取付けることによって実現することができる。
【００６８】
連結部６３の上面部６３ｅには、台座部６１の上面部６１ｅに形成した穴６１ｈに対し、係合部としてのピン６６を挿入するための貫通穴６３ｈが形成されている。本実施例では、ピン６６の外周にネジが刻設され、貫通穴６３ｈの内周にネジ溝が構成されており、ピン６６を貫通穴６３ｈに螺挿しつつピン６６の先端部を空間部６３ｋに突出させることとしている。これに限られず、連結部６３にピン６６を一体成型してもよい。
【００６９】
このピン６６の空間部６３ｋへの突出量は、把手部６２を取り外す際に把手部６２を上方にスライドさせた際に、ピン６６を位置決め穴６１ｈから抜き出せる量に設定される。
【００７０】
以上の構成により、把手部６２を取り外す際には、まず、手指でつまみ部６５ａをつまんで固定ネジ６５を緩め、ネジ部６５ｂを台座部６１のネジ穴６１ｇから抜き出す。次いで、把手部６２を上方に移動させ、ピン６６を台座部６１の穴６１ｈから抜き出すことにより、連結部６３と台座部６１の固定と係合が解除され、把手部６２を取り外すことができる。このようにして、把手部６２の取外作業を容易に行うことができる。なお、この際、固定ネジ６５が連結部６３から脱落しないため、固定ネジ６５を紛失してしまうことがない。
【００７１】
逆に、把手部６２を取付ける際には、把手部６２の上下の連結部６３，６３をそれぞれ上下の台座部６１，６１の位置に合わせ、空間部６３ｋ内に台座部６１を収容した状態とする。次いで、把手部６２を下方に移動させることで、空間部６３ｋに突出させたピン６６を台座部６１の穴６１ｈに差し込むことにより、連結部６３と台座部６１を係合させることができる。
【００７２】
この係合がなされた状態では、空間部６３ｋの内周面６３ｎのうち、連結部６３の上面部６３ｅの裏側の位置にある部位が、台座部６１の上面部６１ｅに載置された状態となる。これにより、係合がなされた状態で台座部６１に対して連結部６３を係合された状態とすることができ、作業者は両手を自由にすることができて、作業性に優れた構成が実現できる。
【００７３】
また、この観点から、空間部６３ｋの内周面６３ｎのうち、連結部６３の上面部６３ｅの裏側の位置にある部位の形状に、台座部６１の上面部６１ｅの形状を対応させることとして、接触面積を広く確保する構成とすることが好ましい。
【００７４】
次いで、手指でつまみ部６５ａをつまんで固定ネジ６５をネジ穴６１ｇに締結することで、連結部６３を台座部６１に対して固定することができる。本実施例では、上側の連結部６３側に固定ネジ６５を設ける構成とすることで、一つの固定ネジ６５を操作するだけで、把手部６２の着脱が可能となり、作業性に優れた構成とすることができる。このようにして、把手部６２の取付作業を容易に行うことができる。なお、下側の連結部６３に固定ネジ６５を設ける、或いは、上下両方の連結部６３，６３に固定ネジ６５を設けることとしてもよい。
【００７５】
さらに、本実施例のように、ねじ込み式の固定ネジ６５を用いることによって台座部６１に対する連結部６３の固定を行う構成とするほか、例えば、連結部６３の内部に、バネによって付勢され台座部６１に対して挿脱可能な突出ピンを、固定ネジ６５に代えて、或いは、固定ネジ６５とともに設けることで、当該突出ピンの挿脱によって、台座部６１への連結部６３の固定／固定解除がなされることとしてもよい。
【００７６】
また、このような突出ピンを設ける形態によれば、突出ピンが挿入、或いは、抜き出される際に、いわゆる操作感覚（クリック感）を得ることができ、操作性に優れた構成とすることができる。
【００７７】
また、以上の把手部６２の取り外し、取り付けにおいて、把手部６２を上下方向に移動させることとなるが、連結部６３の縦面部６３ｃ，６３ｄの裏側に位置する空間部６３ｋの内周面６３ｎが、台座部６１の縦面部６１ｃ，６１ｄに接することで、連結部６３が台座部６１によってガイドされるため、作業者はガイドされているという安心感をもって作業を行うことができる。
【００７８】
また、以上の把手部６２の取り外し、取り付けにおいて、穴６１ｈに対するピン６６の挿入、抜き出しがなされることになるため、作業者は台座部６１に対する連結部６３の係合、非係合の感覚を得ることができ、安心感をもって作業を行うことができる。
【００７９】
なお、図５に示すごとく、台座部６１の穴６１ｈと、連結部６３のピン６６の位置は、連結部６３における縦框２ｄ側の端面６３ｍと、縦框２ｄの見付面２ｅの間に、例えば、コンマ数ミリ程度のわずかな隙間Ｓが形成されるように設計されることが好ましく、また、連結部６３が台座部６１に固定された状態において、台座部６１の表面部６１ａと連結部６３の表面部６３ａの裏面６３ｕ（表面部６３ａの裏側の面）が当接することが好ましい。
【００８０】
これにより、把手部６２を取付けた状態において、開閉ドアの開閉の際に把手部６２に荷重が掛けられた場合であっても、台座部６１に対して連結部６３ががたつくことがなく、隙間Ｓを確保することができ、連結部６３が縦框２ｄを擦ってしまうことによって縦框２ｄの見付面２ｅに傷をつけてしまうことを防止できる。
【００８１】
なお、以上の構成においては、縦框２ｄに対して上下方向に離間した二箇所に台座部６１を設ける構成としたが、一箇所にのみ台座部６１を設ける構成として把手部６２が一箇所で固定される構成としてもよい。また、開閉ドア２に水平の桟部材などを設けるとともに、台座部６１を横方向に配置することによって、把手部６２が横方向に配置されるものであってもよい。もちろん、斜め方向であることも考えられる。
【００８２】
さらに、図３（ａ）に示すように、開閉ドアの縦框２ｄの他側の見付面２ｆに設置される把手部６４についても同様に、着脱可能に構成し、開閉ドア２の厚み方向において両側に位置する把手部６２，６４の両方が着脱可能とする構成としてもよい。
【００８３】
次に、本発明において特徴的なハンドル６０の構造による効果について説明する。
図６は、引戸装置の全体概要について示す縦断面図である。図７（ａ）は、開閉ドアが閉じた際の引戸装置の水平断面図、図７（ｂ）は、開閉ドアが開いた際の引戸装置の水平断面図である。図８は、メンテナンス時の引戸装置の全体概要について示す水平断面図である。図９（ａ）は、ガードスクリーンを備えない引戸装置の形態の実施例について示す図、図９（ｂ）は、ガードスクリーンが戸車付き引戸で構成される場合の実施例について示す図である。
【００８４】
図６には、フィックス部５、開閉ドア２、ガードスクリーン６が示されており、フィックス部５とガードスクリーン６の間に開閉ドア２が配置されている。フィックス部５、開閉ドア２、ガードスクリーン６は、それぞれ、上部がユニット枠３によって吊った状態で設けられる構成とするほか、下部が床面８に対して戸車などで支持される構成としてもよい。特に、ガードスクリーン６の下部に戸車を設けたものでは、ガードスクリーン６と開閉ドア２とがやりこしできる間隔、例えば、ガードスクリーン６が台座部６１と接触せずに、ガードスクリーン６が出入口側に移動できるようにすればよい。
【００８５】
ガードスクリーン６は、新設の引戸装置１について設けられているものであってもよく、既存の引戸装置１に対して後付で設置されるものであってもよい。また、本実施形態では、フィックス部５、及びガードスクリーン６は、透明のガラス部材を備える板体にて構成するほか、不透明な部材でなる板体で構成することとしてもよい。
【００８６】
また、ガードスクリーン６は、引戸装置１の見込方向Ｄの寸法であるユニット枠３の見込方向寸法Ｗ３内に収められることにより、ガードスクリーン６を引戸装置１の見込方向寸法（厚み寸法内）に収めることができ、引戸装置１が設置可能な場所であればガードスクリーン６を収めることが可能となる。また、既存の引戸装置に後付される場合は、ガードスクリーン６は、ユニット枠３の見込方向寸法Ｗ３からはみ出る構成とすることも考えられる。
【００８７】
図７（ａ）には、ハンドル６０を備えた開閉ドア２、フィックス部５、ガードスクリーン６が示されており、フィックス部５とガードスクリーン６の間において、開閉ドア２が開く際に開閉ドア２が進入する引き込み部７（戸袋）が形成されるようになっている。
【００８８】
そして、図７（ｂ）に示すように、把手部６２，６４を掴むことによって、開閉ドア２で仕切られる両空間（本実施例では室内空間と室外空間）において開閉ドア２をスライドさせることができる。なお、この図７（ａ）（ｂ）から明らかなように、ハンドル６０の把手部６２，６４は、フィックス部５やガードスクリーン６から大きく突出するように配置されている。
【００８９】
また、特に、引戸装置１が室外空間と室内空間を仕切る部位に設けられる場合には、例えば、着脱可能な把手部６２の盗難防止などの観点から、本実施例のように、室内側に把手部６２が配置されることが好ましい。
【００９０】
図８は、メンテナンス時の状況を示すものであり、本実施例では、開閉ドア２の厚み方向（見込方向Ｄ）においてガードスクリーン６の側に配置された把手部６２が取り外された状況が示されている。
【００９１】
このように把手部６２が取り外されることによって、ガードスクリーン６を出入口側に向かってスライド移動させたとき、把手部６２がガードスクリーン６の縦框６ｃ，６ｄに接触することがなく、把手部６２によってガードスクリーン６の移動が阻害されることがない。
【００９２】
これにより、ガードスクリーン６においては、その縦框６ｄが引戸装置１の縦框１ｄに近接する位置まで移動させることができ、これにより、ガードスクリーン６の開閉ドア２側の全面（内表面６ｎ）が開放されて、この全面（内表面６ｎ）の清掃を行うことが可能となる。
【００９３】
さらに、ガードスクリーン６の縦框６ｄを引戸装置１の縦枠１ｄに近接する位置まで移動させることで、ガードスクリーン６のもう一方の縦框６ｃをフィックス部５の縦框５ｄ（開閉ドア２の幅方向においてハンドル６０が配置される側の端部に位置する縦框）をやりこすことができる位置（見付方向において縦框６ｃが縦框５ｄと重ならない位置）まで移動させることが可能となり、これにより、フィックス部５の全面（内表面５ｎ）が開放されて、この全面（内表面５ｎ）の清掃を行うことが可能となる。
【００９４】
なお、図８において、把手部６２を外した状況においても、開閉ドア２の縦框２ｄには台座部６１が存在するため、開閉ドア２とガードスクリーン６の間には、台座部６１をかわすことが可能な幅を有するクリアランスＫを設けることが好ましい。このクリアランスは、メンテナンス時において、図６に示すようにガードスクリーン６の下端部を矢印Ｒに移動させることによって、一時的に形成することとしてもよい。
【００９５】
また、図９（ａ）に示すごとく、ガードスクリーン６を設けない引戸装置１００の構成において、本発明のハンドル６０を備えることによって、開閉ドア２の厚み方向の一方の把手部６２を取り外すことによって開閉ドア２の移動領域を拡張する構成としてもよい。
【００９６】
これにより、把手部６２が存在することによって開放されなかった領域Ｒ１を開放させることも可能となる。
【００９７】
また、図９（ｂ）に示すごとく、ガードスクリーン６Ａがガイドレール８１にガイドされる戸車付き引戸で構成される引戸装置２００において、開閉ドア２の厚み方向の両方の把手部６２，６４Ａを取り外すことが可能なハンドル６０Ａを備えることで、開閉ドア２Ａの移動領域を拡張する構成としてもよい。
【００９８】
この場合、ガードスクリーン６Ａを移動させた際に縦框６ｄが開閉ドア２の縦框２ｄをやりこすことができるように、縦框６ｄに設ける指挿入防止構造６ｍについては、容易に変形が可能なフィン状の部材を設けることが好ましい。
【００９９】
これにより、メンテナンスの際に、指挿入防止構造６ｍが縦框２ｄ、或いは、台座部６１に当たるようなことがあっても、ガードスクリーン６Ａの縦框６ｄが開閉ドア２の縦框２ｄを容易にやりこすことが可能となる。
【０１００】
以上のようにして、本発明を実施することができる。
即ち、図１乃至図３に示す例でいえば、
戸先側にハンドル６０を備え、見付方向Ｍに移動可能な開閉ドア２と、
開閉ドア２との相対位置が変更された際に、開閉２ドアと対向する少なくとも一つの対向体（フィックス部５又はガードスクリーン６）と、
を備える引戸装置であって、
ハンドル６０は、見付方向Ｎにおいて対向体に重なる位置に、開閉ドア２に着脱可能に設けられるものである、
引戸装置とする。
【０１０１】
これにより、メンテナンス時などでは、必要に応じてハンドル６０を取り外すことにより、開閉ドア２と対向体（フィックス部５又はガードスクリーン６）をやりこすことができる（引き違いができるようになる）。
【０１０２】
また、図１乃至図３に示すごとく、
対向体（ガードスクリーン６）が見付方向Ｍに移動可能とされるものであって、ハンドル２０が対向体側、つまりは、ガードスクリーン６側の見付面２ｅに設けられるものである、こととする。
【０１０３】
これにより、対向体（ガードスクリーン６）が移動可能に構成されるものについて、開閉ドア２と対向体をやりこすことができる。
【０１０４】
また、図３に示すごとく、
開閉ドア２の戸先側に台座部６１が設けられ、
少なくともハンドル６０の一端部には台座部６１に対して着脱可能な連結部６３を有する、こととする。
【０１０５】
これにより、開閉ドア２に設けられる台座部６１に対してハンドル６０の着脱を行う構成とできる。
【０１０６】
また、図３に示すごとく、
台座部６１が、開閉ドア２の戸先側の縦框２ｄに設けられるものである、こととする。
【０１０７】
これにより、開閉ドア２の戸先側の縦框２ｄにハンドル６０を設置することができる。
【０１０８】
また、図８及び図９（ｂ）に示すごとく、
対向体（ガードスクリーン６）がその上部が吊られた上吊り引戸、又は、対向体（ガードスクリーン６Ａ）がその下部に戸車を有する戸車付き引戸であって、
開閉ドア２と対向体（ガードスクリーン６）とが相対移動できるように、台座部４１が対向体（ガードスクリーン６）に干渉しないように構成される、こととする。
【０１０９】
これにより、対向体（ガードスクリーン６）が上吊り引戸、又は、戸車付き引戸（ガードスクリーン６Ａ）のものについて実施することができる。
【０１１０】
また、図９（ｂ）に示すごとく、
対向体（ガードスクリーン６Ａ）がその下部に戸車を有する戸車付き引戸であって、
開閉ドア２の縦框２ｄに台座部６１が配置されるものであり、
開閉ドア２と対向体（ガードスクリーン６Ａ）とが相対移動した際に、
台座部６１と対向体（ガードスクリーン６Ａ）の縦框とは見付方向Ｍにおいて重ならない位置に配置される、つまりは、やりこしができることとする。
【０１１１】
これにより、戸車付き引戸のものについて本発明を実施することができる。
【０１１２】
また、図４に示すごとく、
連結部６３は、台座部６１の見付方向Ｚに沿って設けられる案内部（縦面部６１ｃ，６１ｄ）にスライドさせる被案内部（縦面部６３ｃ，６３ｄ）を有する、こととする。
【０１１３】
これにより、連結部６３を台座部６１の見付方向Ｚにおいて案内することができる。つまり、見付方向Ｚ，Ｍにおいて連結部６３がブレることなく案内される。
【０１１４】
また、図４及び図５に示すごとく、
連結部６３は、台座部６１に設けた係合部（穴６１ｈ）に係合される被係合部（ピン６６）を有する、こととする。
【０１１５】
これにより、連結部６３と台座部６１を係合させることで、台座部６１に対するハンドル６０の位置決めを行うことができる。
【０１１６】
また、図４及び図５に示すごとく、
連結部６３が台座部６１に係合された状態で、連結部６３と台座部６１とを固定する固定部（固定ネジ６５）を備える、こととする。
【０１１７】
これにより、位置決めを行った状態でハンドル６０を固定することができる。
【０１１８】
また、図１に示すごとく、
対向体として、
開閉ドア２を開いたときに、開閉ドア２と対向する位置に見付方向Ｍに移動不能なフィックス部５を備える、こととする。
【０１１９】
これにより、対向体がフィックス部５のものについて本発明を実施することができる。
【０１２０】
また、図１に示すごとく、
対向体として、
フィックス部５と対向し、見付方向Ｍに移動可能な防護体（ガードスクリーン６）をさらに備え、
ハンドル６０のうち、防護体（ガードスクリーン６）が配置される側が着脱可能とされる、こととする。
【０１２１】
これにより、対向体が防護体のものについて本発明を実施することができる。
【産業上の利用可能性】
【０１２２】
本発明は、店舗、オフィス、ビル出入口、住宅など、各種建物の開口部に設置される引戸装置について、幅広く適用可能である。
【符号の説明】
【０１２３】
１    引戸装置
２    開閉ドア
５    フィックス部
６    防護体
６０    ハンドル
６１    台座部
６２    把手部
６３    連結部
６５    固定ネジ
６６    ピン
【図１】
2014029071.tif 000003
【図２】
2014029071.tif 000004
【図３】
2014029071.tif 000005
【図４】
2014029071.tif 000006
【図５】
2014029071.tif 000007
【図６】
2014029071.tif 000008
【図７】
2014029071.tif 000009
【図８】
2014029071.tif 000010
【図９】
2014029071.tif 000011
【図１０】
2014029071.tif 000012